(57)【特許請求の範囲】
【請求項１】
相対する一方の側壁を略垂直に立て、次いで、もう一方の相対する側壁を略垂直に立てて、箱型に組み立て可能な折り畳みコンテナーにおいて、折り畳まれた状態の折り畳みコンテナーを箱型に組み立てる際に、略水平状態から最初に略垂直状態に立てられる側壁がヒンジ連結される底部の土手部上面と外壁とにより形成される隅部に、上端が、前記外壁の上端と同じ高さか或いは若干高く、且つ、垂直端が、前記土手部の内壁面と面一な方形状の規制片を配設するとともに、前記規制片が、前記略水平状態から最初に略垂直状態に立てられる側壁の下部フランジの下面に形成された垂下片間の間隙に挿入されるように構成されており、前記略水平状態から最初に略垂直状態に立てられる側壁を、略水平状態から垂直方向に回動させた際には、前記略水平状態から最初に略垂直状態に立てられる側壁の回動途中において、前記略水平状態から最初に略垂直状態に立てられる側壁の下部フランジの下面が、前記規制片の角部に接触し該角部を乗り越えるように構成されており、且つ、前記略水平状態から最初に略垂直状態に立てられる側壁が略垂直に立てられた際には、前記略水平状態から最初に略垂直状態に立てられる側壁の下部フランジが、前記規制片の水平状上端に載置されるように構成することにより、前記略水平状態から最初に略垂直状態に立てられる側壁の自立状態を維持するように構成されていることを特徴とする折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来，長方形の底部の相対する長辺側に、適当なヒンジ結合により連結された長側壁と、同じく上記底部の相対する短辺側に、適当なヒンジ結合により連結された短側壁とからなる折り畳みコンテナーが知られており、折り畳み状態においては、底部の上に長側壁が重なるように折り畳まれ、更にその上に、短側壁が折り畳まれており、そして、折り畳まれた状態の短側壁を、先ず最初に、底部に対して垂直に立て、次いで、折り畳まれた状態の長側壁を、底部に対して垂直に立てることにより、箱型のコンテナーに組み立てるように構成されている。
【０００３】
【発明が解決しようとする課題】
上述した従来の折り畳みコンテナーにおいては、上述したように、箱型のコンテナーに組み立てる際に、長側壁を底部に対して垂直に立てる作業中に、折り畳み状態から、最初に、底部に対して垂直に立てられた短側壁が倒れてしまい、底部に対して垂直に立てられた短側壁を、作業者が手で、倒れないように保持していなければならず、折り畳みコンテナーの組み立て作業性が悪いという問題があった。
【０００４】
本発明の目的は、上述した従来の折り畳みコンテナーが有する課題を解決することにある。
【０００５】
【課題を解決するための手段】
本発明は、上述した目的を達成するために、相対する一方の側壁を略垂直に立て、次いで、もう一方の相対する側壁を略垂直に立てて、箱型に組み立て可能な折り畳みコンテナーにおいて、折り畳まれた状態の折り畳みコンテナーを箱型に組み立てる際に、略水平状態から最初に略垂直状態に立てられる側壁がヒンジ連結される底部の土手部上面と外壁とにより形成される隅部に、上端が、前記外壁の上端と同じ高さか或いは若干高く、且つ、垂直端が、前記土手部の内壁面と面一な方形状の規制片を配設するとともに、前記規制片が、前記略水平状態から最初に略垂直状態に立てられる側壁の下部フランジの下面に形成された垂下片間の間隙に挿入されるように構成されており、前記略水平状態から最初に略垂直状態に立てられる側壁を、略水平状態から垂直方向に回動させた際には、前記略水平状態から最初に略垂直状態に立てられる側壁の回動途中において、前記略水平状態から最初に略垂直状態に立てられる側壁の下部フランジの下面が、前記規制片の角部に接触し該角部を乗り越えるように構成されており、且つ、前記略水平状態から最初に略垂直状態に立てられる側壁が略垂直に立てられた際には、前記略水平状態から最初に略垂直状態に立てられる側壁の下部フランジが、前記規制片の水平状上端に載置されるように構成することにより、前記略水平状態から最初に略垂直状態に立てられる側壁の自立状態を維持するように構成したものである。
【０００６】
【実施例】
以下に、本発明の実施例について説明するが、本発明の趣旨を越えない限り何ら、本実施例に限定されるものでない。
【０００７】
先ず最初に、図１、図３及び図５を用いて、合成樹脂で一体に成形された底部について説明する。
【０００８】
１は、平面形状が略長方形状の底部であり、底部１の相対する短辺側には、短辺に垂直な断面形状が、略逆Ｕ字状の短辺側土手部１ａが形成されており、短辺側土手部１ａの上面１ａ１の外側縁には、上方に延在する外壁（以下、単に、短辺側外壁という。）１ｂが、短辺側土手部１ａの外壁面と略面一になるように立設されている。また、短辺側土手部１ａの上面１ａ１の内側縁には、所定の間隔で、略垂直な板状部ｈ１が立設されており、板状部ｈ１の上端には、短辺側外壁１ｂの方向に延在するとともに下方に湾曲したフックｈ２が形成されており、板状部ｈ１とフックｈ２とにより、短辺側雌ヒンジ部材Ｈ１が構成されている。本実施例においては、３個の短辺側雌ヒンジ部材Ｈ１が配設されている例が示されている。短辺側雌ヒンジ部材Ｈ１のフックｈ２の上端と、短辺側外壁１ｂの上端１ｂ１とは同じ高さに形成されている。
【０００９】
短辺側外壁１ｂの内面１ｂ２と短辺側土手部１ａの上面１ａ１とにより形成される隅部には、方形状の規制片１ｃが、所定数、形成されており、規制片１ｃの上端１ｃ１は、短辺側外壁１ｂの上端１ｂ１と同じ高さか或いは若干、高くなるように形成されており、また、規制片１ｃの垂直端１ｃ２は、短辺側土手部１ａの内壁面１ａ２と面一になるように構成されている。本実施例においては、短辺側雌ヒンジ部材Ｈ１間に１個ずつ、合計２個の規制片１ｃが形成されている例が示されている。
【００１０】
また、底部１の相対する長辺側には、短辺側土手部１ａより低い、同様の長辺側土手部１ｄが形成されており、長辺側土手部１ｄの上面１ｄ１の外側縁には、上方に延在する外壁（以下、単に、長辺側外壁という。）１ｅが、長辺側土手部１ｄの外壁面と略面一になるように、且つ、所定の間隙を置いて形成されている。本実施例においては、長辺側外壁１ｅは、外壁中央部１ｅ１と、外壁中央部１ｅ１と所定の間隔を置いて配置された外壁端部１ｅ２とから構成されている。また、長辺側外壁１ｅの高さは、短辺側外壁１ｂの高さより低くなるように形成されている。
【００１１】
長辺側土手部１ｄの上面１ｄ１の内側縁には、長辺側外壁１ｅを構成する外壁中央部１ｅ１及び外壁端部１ｅ２と対向するように、所定の間隔で、略垂直な板状部ｈ１が立設されており、板状部ｈ１の上端には、長辺側外壁１ｅ方向に延在するとともに下方に湾曲したフックｈ２が形成されており、板状部ｈ１とフックｈ２とにより、長辺側雌ヒンジ部材Ｈ２が構成されている。また、長辺側雌ヒンジ部材Ｈ１のフックｈ２の上端と、長辺側外壁１ｅを形成する外壁中央部１ｅ１の上端１ｅ１’及び外壁端部１ｅ２の上端１ｅ２’とは同じ高さに形成されている。この長辺側雌ヒンジ部材Ｈ２は、上述した短辺側雌ヒンジ部材Ｈ１と同一構造を有している。なお、本実施例には、３個の長辺側雌ヒンジ部材Ｈ２が配設されている例が示されている。
【００１２】
底部１の４つの角部には、長辺側外壁１ｅ及び短辺側外壁１ｂを越えて上方に延在する、平面形状が略Ｌ字状の角部ブロック１ｆが形成されている。角部ブロック１ｆの内側には、短辺側ヒンジ雌部Ｈ１と略同じ高さを有する段部１ｆ１が形成されている。
【００１３】
次に、図２及び図３を用いて、長側壁２について説明する。
【００１４】
長側壁２は、横長の板状部２ａと、横長の板状部２ａの下端から水平方向に延在する下部フランジ２ｂと、横長の板状部２ａの上端から水平方向に延在する上部フランジ２ｃと、横長の板状部２ａの両端に形成されるとともに、下部フランジ２ｂの両端と上部フランジ２ｃの両端を連結する側部フランジ２ｄを有しており、下部フランジ２ｂ、上部フランジ２ｃ及び側部フランジ２ｄとにより囲まれた板状部２ａには、長側壁２を補強するために、必要に応じて、適宜、適当数の横リブ２ｅ及び縦リブ２ｆが形成されている。
【００１５】
長側壁２の下部フランジ２ｂの下面には、上述した底部１の長辺側土手部１ｄに形成された長辺側雌ヒンジ部材Ｈ２に対応して、長側壁側ヒンジ雄部Ｈ３が形成されており、長側壁側ヒンジ雄部Ｈ３は、下部フランジ２ｂの下面に、所定の間隔を置いて垂設された一対の下端縁が略半円形状に形成された支持片ｈ３と、一対の支持片ｈ３に架橋された水平ピンｈ４とから構成されている。なお、２ｇ１は、長側壁２の上部両端部に形成された一例としての長側壁側係止部材２ｇを形成する凸条である。
【００１６】
２ｈは、長側壁２の下部角部に形成された切り欠き凹部であり、折り畳みコンテナーが箱型に組み立てられた際に、底部１の４つの角部に形成された略Ｌ字状の角部ブロック１ｆのうち、長側壁２側に延在する部分１ｆ２が、長側壁２に干渉しないように、入り込むことができるように構成されている。なお、２ｉは、隣り合う支持片ｈ３を連結する連結梁である。
【００１７】
次に、図４及び図５を用いて、短側壁３について説明する。
【００１８】
短側壁３は、横長の板状部３ａと、横長の板状部３ａの下端から水平方向に延在する下部フランジ３ｂと、横長の板状部３ａの上端から水平方向に延在する上部フランジ３ｃと、横長の板状部３ａの両端に形成されるとともに、下部フランジ３ｂの両端と上部フランジ３ｃの両端を連結する側部フランジ３ｄを有しており、下部フランジ３ｂ、上部フランジ３ｃ及び側部フランジ３ｄとにより囲まれた板状部３ａには、長側壁３を補強するために、必要に応じて、適宜、適当数の横リブ３ｅ及び縦リブ３ｆが形成されている。
【００１９】
短側壁３の下部フランジ３ｂの下面には、上述した底部１の短辺側土手部１ｂに形成された短辺側雌ヒンジ部材Ｈ１に対応して、短側壁側ヒンジ雄部Ｈ４が形成されており、短側壁側ヒンジ雄部Ｈ４は、下部フランジ３ｂの下面に、所定の間隔を置いて垂設された一対の下端縁が略半円形状に形成された支持片ｈ３と、一対の支持片ｈ３に架橋された水平ピンｈ４とから構成されている。短側壁側ヒンジ雄部Ｈ４は、上述した長側壁側ヒンジ雄部Ｈ３と同一構造を有している。なお、３ｇは、短側壁３の上部両端部から、板状部３ａに対して略垂直に延在する一例としての短側壁側係止部材であり、短側壁側係止部材３ｇには、上述した長側壁側係止部材２ｇを構成する凸条２ｇ１が挿入可能な嵌合孔３ｇ１が形成されているとともに、折り畳みコンテナーが箱型に組み立てられた際に、長側壁２の内壁に当接する、上下スリット３ｇ２間に形成された弾性を有する舌片３ｇ３が形成されている。
【００２０】
３ｈは、短側壁３の下部角部に形成された切り欠き凹部であり、折り畳みコンテナーが箱型に組み立てられた際に、底部１の４つの角部に形成された略Ｌ字状の角部ブロック１ｆのうち、短側壁３側に延在する部分１ｆ３が、短側壁２に干渉しないように、入り込むことができるように構成されている。なお、３ｉは、短側壁側ヒンジ雄部Ｈ４を構成する支持片ｈ３と同様の下部フランジ３ｂの下面に形成された垂下片であり、隣り合う支持片ｈ３と垂下片３ｉとは、連結梁３ｊで連結されている。３ｋは、垂下片３ｉ間に形成された間隙であり、折り畳みコンテナーを組み立てた際に、底部１に形成された方形状の規制片１ｃが挿入されるように構成されている。３ｍは、手持ち用開口である。
【００２１】
次に、主として、図３及び図５を用いて、底部１、長側壁２及び短側壁３を、折り畳みコンテナーに組み立てる作業について説明する。
【００２２】
底部１に、長側壁２を連結するには、底部１に形成された長辺側雌ヒンジ部材Ｈ２のフックｈ２と、長辺側外壁１ｅを構成する外壁中央部１ｅ１と外壁端部１ｅ２との間隙に、長側壁２に形成された長側壁側ヒンジ雄部Ｈ３の水平ピンｈ４を嵌入するとともに、水平ピンｈ４を、上記底部１に形成された長辺側雌ヒンジ部材Ｈ２のフックｈ２に引っ掛けることにより、底部１と長側壁２とをヒンジ連結する。
【００２３】
また、底部１に、短側壁３を連結するには、同様にして、底部１に形成された短辺側雌ヒンジ部材Ｈ１のフックｈ２と、短辺側外壁１ｂとの間隙に、短側壁３に形成された短側壁側ヒンジ雄部Ｈ４の水平ピンｈ４を嵌入するとともに、水平ピンｈ４を、上記底部１に形成された短辺側雌ヒンジ部材Ｈ１のフックｈ２に引っ掛けることにより、底部１と短側壁３とをヒンジ連結する。このヒンジ連結の際に、垂下片３ｉ間に形成された間隙３ｋに、底部１に形成された規制片１ｃが挿入されるように構成されている。
【００２４】
上述したようにして、底部１、長側壁２及び短側壁３をヒンジ連結して、折り畳みコンテナーを組み立てる。
【００２５】
図６に示されてように、底部１の上に、長側壁２が重ねられ、更に、長側壁２の上に、短側壁３が重ねられた状態の折り畳みコンテナーが折り畳まれた状態から、図８に示されているように、折り畳みコンテナーを箱型に組み立てるには、先ず最初に、図７に示されているように、底部１及び長側壁２の上に重ねられている短側壁３を、略垂直に立てる。次いで、底部１の上に重ねられている長側壁２を垂直方向に回動させて、長側壁側係止部材２ｇの凸条２ｇ１を．略垂直に立てられている短側壁３の短側壁側係止部材３ｇの嵌合孔３ｇ１に挿入するとともに、短側壁側係止部材３ｇの弾性を有する舌片３ｇ３を、長側壁２により押圧して外方向に移動させながら、更に長側壁２を回動すると、長側壁２と短側壁側係止部材３ｇの舌片３ｇ３との衝合が外れて、舌片３ｇ３が内側方向に、その弾性により戻り、長側壁２の内壁に当接し、後から略垂直に立てられた長側壁２が、簡単には、内側に倒れないように構成されている。
【００２６】
上述したようにして、図８に示されているように、箱型に組み立てられた折り畳みコンテナーを、図６に示されているように、折り畳むには、短側壁３の短側壁側係止部材３ｇを構成する舌片３ｇ３を外方向に移動させて、舌片３ｇ３と長側壁２の内壁との当接状態を解除し、この状態で、長側壁２を底部１方向に倒して、長側壁２を底部１に重ねる。次いで、短側壁３を、底部１方向に倒して、短側壁３を底部１に重ねことにより、折り畳むことができる。なお、図６に示されているように、折り畳んだ状態においては、長辺側外壁１ｅを構成する外壁中央部１ｅ１と外壁端部１ｅ２との間に形成された長辺側外壁１ｅの間隙に、短側壁３に形成された短側壁側係止部材３ｇが挿入可能なように構成されており、折り畳まれた状態の折り畳みコンテナーの高さが、より低くなるように構成されている。
【００２７】
次に、主として、図９及び図１０を用いて、図６に示されているように、折り畳まれた状態から、最初に立てられる短側壁３の自立機構について説明する。
【００２８】
上述したように、短側壁３がヒンジ連結されている底部１の短辺側に形成された短辺側外壁１ｂの内面１ｂ２と短辺側土手部１ａの上面１ａ１とにより形成される隅部には、短辺側外壁１ｂと同じ高さか、若干、短辺側外壁１ｂより高い方形状の規制片１ｃが形成されており、従って、短側壁３を、底部１及び長側壁２の上に重ねられている略水平状態から、垂直方向に回動させると、その回動途中において、図９に示されているように、短側壁３の下部フランジ３ｂの下面３ｂ１が、規制片１ｃの角部１ｃ３に接触することになる。この状態から、更に、短側壁３を、垂直方向に回動させると、底部１に形成された短辺側雌ヒンジ部材Ｈ１のフックｈ２に係合している短側壁３に形成された短側壁側ヒンジ雄部Ｈ４の水平ピンｈ４も、短辺側雌ヒンジ部材Ｈ１のフックｈ２と短側壁側ヒンジ雄部Ｈ４の水平ピンｈ４間に存在している遊びを越えて、短辺側雌ヒンジ部材Ｈ１のフックｈ２と短側壁側ヒンジ雄部Ｈ４の水平ピンｈ４との係合状態が解除されない範囲で、フックｈ２から外れようとする方向に移動する。このように、短側壁３の垂直方向への回動途中において、短側壁３の下部フランジ３ｂの下面３ｂ１が、規制片１ｃの角部１ｃ３に接触し、この角部１ｃ３を、抵抗力に逆らって乗り越えることにより、短側壁３が略垂直に立てられるように構成されているので、一旦、略垂直に立てられた短側壁３は、自重や弱い外力が加わった程度では、底部１方向に倒れるようなことがなく、後から略垂直方向の回動される長側壁２が、短側壁３に当接するまでは、確実に．自立状態を維持することができるように構成されている。
【００２９】
従来、短側壁側ヒンジ雄部Ｈ４を構成する下端縁が略半円形状に形成された支持片ｈ３の略半円形状部に突部を設け、該突部を、底部に形成された凹部に係合させるようにした自立機構が知られているが（例えば、特開平８−３１８９３９号公報等）、支持片ｈ３の略半円形状部に突部を設けた場合には、短側壁３の回動中心となる水平ピンｈ４と、水平ピンｈ４の下方に位置する突部との距離が、非常に短いので、短側壁３の自重や短側壁３に弱い外力が加わった程度で、簡単に、短側壁３が、底部１方向に倒れるという問題があったが、本実施例においては、規制片１ｃが水平ピンｈ４の上方に位置し、水平ピンｈ４と規制片１ｃの角部１ｃ３との距離を大きく取ることができるので、短側壁３の自重や弱い外力が加わった程度では、簡単に、短側壁３が、底部１方向に倒れるようなことがない。
【００３０】
上述した実施例においては、底部１の短辺側土手部１ａを、長辺側土手部１ｄより高くして、先に、長側壁２を、底部１に重ね、次いで、底部１に重ねられた長側壁２の上に、短側壁３を重ねるようにした折り畳みコンテナーが示されているが、底部１の長辺側土手部１ｄを、短辺側土手部１ａより高くして、先に、短側壁３を、底部１に重ね、次いで、底部１に重ねられた短側壁３の上に、長側壁２を重ねるようにした折り畳みコンテナーにも、同様に適用することができる。この場合には、上述した規制片は、底部１の長辺側土手部１ｄに形成されることになる。いずれにせよ、本発明の特徴ある構成は、折り畳まれた状態の折り畳みコンテナーを、箱型に組み立てる際に、最初に、略水平状態から、略垂直状態に立てられる側壁がヒンジ連結される底部に、最初に立てられる側壁の下部フランジが当接する規制片を配設することにより、最初に立てられる側壁に、自立機能を持たせた持たせたことでる。
【００３１】
上述したように構成することにより、最初に立てられる側壁の自重や該側壁に弱い外力が加わった程度では、簡単に、側壁が倒れるようなことが、確実に防止できる。
【発明の効果】
本発明は、以上説明した構成を有しているので、以下に記載する効果を奏するものである。
【００３２】
略水平状態から略垂直状態に立てられる側壁がヒンジ連結される底部に、最初に立てられる側壁の下部フランジが当接する規制片を配設したので、側壁の自重や弱い外力が加わった程度では、簡単に、側壁が、底部方向に倒れるようなことがなく、自立機能が高められる。
【図面の簡単な説明】
【図１】図１は本発明の折り畳みコンテナーの底部の斜視図である。
【図２】図２は本発明の折り畳みコンテナーの長側壁の斜視図である。
【図３】図３は本発明の折り畳みコンテナーの底部と長側壁の分解部分斜視図である。
【図４】図４は本発明の折り畳みコンテナーの短側壁の斜視図である。
【図５】図５は本発明の折り畳みコンテナーの底部と短側壁の分解部分斜視図である。
【図６】図６は本発明の折り畳みコンテナーの折り畳まれた状態の斜視図である。
【図７】図７は本発明の折り畳みコンテナーの折り畳み途中の斜視図である。
【図８】図８は本発明の折り畳みコンテナーが箱型に組み立てられた状態の斜視図である。
【図９】図９は本発明の折り畳みコンテナーの底部と短側壁の長辺側土手部に沿った垂直側断面図である。
【図１０】図１０は図９と同様の本発明の折り畳みコンテナーの底部と短側壁の長辺側土手部に沿った垂直側断面図である。
【符号の説明】
１・・・・・・・・底部
１ｃ・・・・・・・規制片
２・・・・・・・・長側壁
３・・・・・・・・短側壁
３ｂ・・・・・・・下部フランジ
【図１】
0003790427.tif 000002
【図２】
0003790427.tif 000003
【図３】
0003790427.tif 000004
【図４】
0003790427.tif 000005
【図５】
0003790427.tif 000006
【図６】
0003790427.tif 000007
【図７】
0003790427.tif 000008
【図８】
0003790427.tif 000009
【図９】
0003790427.tif 000010
【図１０】
0003790427.tif 000011